(57)【特許請求の範囲】
【請求項１】
機器前面に設けられ押圧することにより蓋部の開蓋及び、トレイ部材の引き出し及び収納動作が可能な押釦装置であって、一方の端面を機器表面に露出した押釦部材と、前記押釦部材に設けられたピンと、前記蓋部の閉蓋状態を保持しその状態から他方へ摺動することで閉蓋状態を解除する保持部材と、前記保持部材に設けられ前記ピンが摺動することにより前記保持部材を移動可能なカム部と、前記押釦部材の押圧方向端部に設けられ前記押釦部材が外部より押圧された時に前記押釦部材の先端が当接し前記トレイ部材の引き出し及び収納動作を操作可能なスイッチと、前記前蓋が所定角度開いたことを検知する検知スイッチとを備え、
前記押釦部材は、前記蓋部の閉蓋状態で押圧すると、前記保持部材が前記蓋部の閉蓋状態を解除して前記蓋部を自重により開蓋状態へと移行可能であるとともに、
前記蓋部が所定角度開いていることを前記検知スイッチが検知している状態で、前記押釦部材を押圧して前記スイッチを押すと前記トレイ部材の引き出し及び収納可能なことを特徴とする押釦装置。
【発明の詳細な説明】
【０００１】
【発明の属する技術分野】
本発明は、ＶＴＲ等の磁気記録再生機器やＤＶＤ等の光記録再生機器やテレビ受像機、家庭電化装置等の電気機器に用いられる構造物のロック機構を操作する押釦装置に関するものである。
【０００２】
【従来の技術】
最近、電気機器は高性能、高機能を有しながら、誰にでも簡単に操作できるよう操作性を重視している。特に、通常あまり使わないような操作スイッチは、蓋部等によって、覆い隠すことが多い。また、埃を嫌うような電気機器（例えば、ＶＴＲ）の場合にも、使用時、特に使用者が操作している時のみ操作スイッチやＶＴＲのビデオテ−プ挿入口を外部から目視できるようにして、それ以外の時は蓋部等によって、覆い隠しているものもある。このような蓋部のロック機構を操作により解除する押釦装置にも、いろいろな提案がされている。
【０００３】
以下に従来の押釦装置について説明する。
図４は、従来の押釦装置の概略を示す要部斜視図である。図４において、２１は蓋部２４に設けられ押圧することにより内部に設けられたスイッチ２２を操作することができる第１の押釦、２２は蓋部２４内部に設けられ第１の押釦２１によって押圧操作されるスイッチで、１回押されると内部のモータ（図示せず）が動作しトレイ２６が機器本体２９から引き出され、もう１回押すと内部のモータが動作しトレイ２６が機器本体２９に収納されるように動作するよう操作できる。２３は機器本体２９の前面に設けられ押圧することにより内部のロックを解除して蓋部２４を開くことができる第２の押釦で、第１の押釦２１を有する蓋部２４を閉めた状態を保持するためのロックピ−ス２５を移動させるもので、第２の押釦２３を押すことでピンがロックピ−ス２５のカム部を押圧して右方向に移動させてロックが解除され、蓋部２４がその下辺を軸に矢印Ｅのように開くものである。２５は蓋部２４が閉まった状態を保持するロックピンで、第２の押釦２３を押すことにより矢印Ｆ方向に移動し、蓋部２４の保持状態を解除する。２６は機器本体２９から矢印Ｇ方向に引き出し及び収納されるトレイで、テープカセットやディスクなどの記録媒体を載置して機器本体２９内に移送するものである。
【０００４】
以上のように構成された従来の押釦装置について、以下その動作について説明する。
【０００５】
まず、蓋部２４が機器本体２９に対して閉まった状態（トレイ２６や第１の押釦２１が外部から目視できない状態）から、第２の押釦２３を押すと、ロックピ−ス２５が矢印Ｆ方向に移動し、蓋部２４とのロックが解除される。解除されると蓋部２４はその下辺を軸に矢印Ｅ方向に回動し、第１の押釦２１及びトレイ２６が目視可能な状態になる。次に第１の押釦２１を押すことにより、スイッチ２２が押されて、内部のモータが動作を始め、トレイ２６が機器本体２９内から矢印Ｇ方向に引き出される。このトレイ２６上に記録媒体を載置し、第１の押釦２１を押すことによりスイッチ２２が押されて内部のモータが動作を始め、トレイ２６が機器本体２９内へ収納される。
【０００６】
【発明が解決しようとする課題】
しかしながら従来の押釦装置の構成では、トレイ２６を引き出し操作すべく第１の押釦２１を操作するためには、第２の押釦２３を押してロックピ−ス２５によるロックを解除し、蓋部２４を開けるという操作が必要になり、トレイ２６を引き出し操作するのに２回の操作が必要になって操作性が低下していたとともに、２つの押釦を構成する為のスペ−スが必要になり、機器の小型化することができないという問題点を有していた。
【０００７】
本発明は上記の問題点を解決するもので、釦構成スペ−スの削減と釦操作の簡略化を達成できる押釦装置を提供することを目的とする。
【０００８】
【課題を解決するための手段】
上記問題点を解決するために本発明の押釦装置は、機器前面に設けられ押圧することにより蓋部の開蓋及び、トレイ部材の引き出し及び収納動作が可能な押釦装置であって、一方の端面を機器表面に露出した押釦部材と、前記押釦部材に設けられたピンと、前記蓋部の閉蓋状態を保持しその状態から他方へ摺動することで閉蓋状態を解除する保持部材と、前記保持部材に設けられ前記ピンが摺動することにより前記保持部材を移動可能なカム部と、前記押釦部材の押圧方向端部に設けられ前記押釦部材が外部より押圧された時に前記押釦部材の先端が当接し前記トレイ部材の引き出し及び収納動作を操作可能なスイッチと、前記前蓋が所定角度開いたことを検知する検知スイッチとを備え、前記押釦部材は、前記蓋部の閉蓋状態で押圧すると、前記保持部材が前記蓋部の閉蓋状態を解除して前記蓋部を自重により開蓋状態へと移行可能であるとともに、前記蓋部が所定角度開いていることを前記検知スイッチが検知している状態で、前記押釦部材を押圧して前記スイッチを押すと前記トレイ部材の引き出し及び収納可能なものである。
【０００９】
上記構成により、釦構成スペ−スの削減と釦操作の簡略化を達成できるものである。
【００１０】
【発明の実施の形態】
本発明の請求項１に記載の発明は、機器前面に設けられ押圧することにより蓋部の開蓋及び、トレイ部材の引き出し及び収納動作が可能な押釦装置であって、一方の端面を機器表面に露出した押釦部材と、前記押釦部材に設けられたピンと、前記蓋部の閉蓋状態を保持しその状態から他方へ摺動することで閉蓋状態を解除する保持部材と、前記保持部材に設けられ前記ピンが摺動することにより前記保持部材を移動可能なカム部と、前記押釦部材の押圧方向端部に設けられ前記押釦部材が外部より押圧された時に前記押釦部材の先端が当接し前記トレイ部材の引き出し及び収納動作を操作可能なスイッチと、前記前蓋が所定角度開いたことを検知する検知スイッチとを備え、前記押釦部材は、前記蓋部の閉蓋状態で押圧すると、前記保持部材が前記蓋部の閉蓋状態を解除して前記蓋部を自重により開蓋状態へと移行可能であるとともに、前記蓋部が所定角度開いていることを前記検知スイッチが検知している状態で、前記押釦部材を押圧して前記スイッチを押すと前記トレイ部材の引き出し及び収納可能なものであり、釦構成スペースの削減と釦操作の簡略化と開き途中の蓋部にトレイ部がぶつからない釦操作の確実性が得られ、操作性の優れた製品を得ることができる。
【００１１】
以下、本発明の実施の形態について図面を参照しながら説明する。
（実施の形態１）
図１は本発明の実施の形態における押釦装置の概略構成を示す要部斜視図で、図２は図１に示す押釦装置における押釦部材付近を上面側から見た要部平面図で、図３（ａ）は蓋部と検知スイッチの位置関係を示す上面図、同図（ｂ）及び（ｃ）は蓋部と検知スイッチの位置関係を示す側面図である。図において、３は機器本体９の前面に設けられ押すことにより蓋部４を開くことができ共にトレイ部材１を引き出すことができる押釦部材で、押釦部材３を押すことでピンがロックピ−ス５のカム部を押圧して摺動し矢印Ｆ方向に移動させてロックが解除され、蓋部４がその下辺を軸に回動して矢印Ｅのように開くものである。５は蓋部４の閉蓋状態を保持する保持部材であるロックピースで、押釦部材３を押すことにより矢印Ｆ方向に移動し、蓋部４の保持状態を解除する。１は機器本体９から矢印Ｇ方向に引き出し及び収納されるトレイ部材で、テープカセットやディスクなどの記録媒体を載置して機器本体９内に移送するものである。３ａは押釦部材３に設けられたピン、５ａはロックピース５に設けられたカム部で、図２（ａ）に示す状態から押釦部材３を矢印Ａ方向に押圧した時にピン３ａがカム部５ａを押圧することで、ロックピース５が矢印Ｂ方向へ移動し、図２（ｂ）に示すようにロックピース５の先端が蓋部４から離間して蓋部の閉蓋状態を解除できるものである。２はトレイ部材１を引き出しまたは収納するよう操作可能なスイッチで、押釦部材３の押圧方向端部位置に設けられている。８はスイッチ２をフレーム１０に位置決め固定しているプリント基板（以下、Ｐ板）である。図３において、１２は蓋部４がトレイ部材１にぶつからない角度まで開いた時に蓋部４から突出したリブ１１に押圧されてＯＮになる検知スイッチで、押釦部材３によりスイッチが押されたとしても、検知スイッチ１２がＯＮでない限り、トレイ部材１は引き出し動作を行わない。１３は検知スイッチ１２を機器本体９に固定している固定部材である。
【００１２】
以上のように構成された本実施の形態の押釦装置において、以下その動作について説明する。
【００１３】
まず、押釦部材３を図２（ａ）の矢印Ａ方向に押すことで押釦部材３に設けてあるピン３ａがロックピ−ス５に設けてあるカム部５ａを押圧して摺動し、ロックピ−ス５は矢印Ｂ（右側）へ移動する。この動作により図２（ｂ）に示すように、蓋部４のロックが解除され、蓋部４は自重あるいは蓋部回転部に設けた弾性体（バネ等が考えられるが図示せず）の回転力によって矢印Ｃ方向に開く。
【００１４】
図２（ｂ）の状態からさらに押釦部材３を押すことにより、押釦部材３の先端が矢印Ｄの方向にスイッチ２を押す。その時に図３（ｃ）に示すように蓋部４から突出したリブ１１の端面が検知スイッチ１２を既に押していれば、つまり蓋部４が所定角度開いていれば、トレイ部材１は矢印Ｇ方向に移動して機器本体９から出てくる。また、スイッチ２を押した時、図３（ｂ）に示すように蓋部４から突出したリブ１１の端面が検知スイッチ１２をまだ押していない状態、つまり蓋部４が所定角度開いていない状態であっても、蓋部４が回動して開き角度が増して、やがて検知スイッチ１２を押すことにより、トレイ部材１は矢印Ｇ方向に移動して機器本体９から出てくる。
【００１５】
以上のように本実施の形態によれば、押釦部材３にロックピ−ス５を移動させる機能とスイッチ２を押す機能と蓋部４の開き角度を設定させる検知スイッチ１２を設け、従来蓋部４の内部に構成していたスイッチ２を押釦部材３の押圧方向後方に設けることで、押釦部材３を押すという一回の操作で２つの動作が可能になり、蓋部内部にあった釦を廃止することができる。また、蓋部４の自重あるいは蓋部回転部に設けた弾性体の回転力によって開く蓋部の減速装置の構成は、一般的に温度環境の影響を受けるため、本実施の形態の検知スイッチ１２を設けることで、ある温度環境下で蓋部４の開き速度が遅くても、蓋部４とトレイ部材１とが衝突するという現象を起こさせないものである。
【００１６】
なお、上述した実施の形態においては、押釦部材３の横に蓋部４を構成し、ロックピ−ス５の移動方向を左右としたが、必ずしもこれに限るものではなく、押釦の下に蓋部４を構成し、ロックピ−ス５の移動方向を上下としても同様の効果が得られる。
【００１７】
さらに、実施の形態１では開閉部材はロックピ−スが蓋部の開け止めになるようにしているが、必ずしもこれに限らず、例えば、小磁石と鉄片との吸着力によって蓋部の閉蓋状態を保つようにして、開閉部材が蓋部を突くようにして小磁石の吸着力を離すようにしてもかまわない。その場合、変換部はシ−ソ−状の部材により、押釦部材の前後移動運動を開閉部材の逆の前後移動運動に変えることで実現できる。
【００１８】
【発明の効果】
以上のように、押釦部材にロックピ−スを移動させる機能とスイッチを押す機能と蓋部の開角度を設定させる検知スイッチをもたせることで釦構成スペ−スの削減と操作の簡略化と釦操作の確実性を高めることができるという優れた効果を奏するものである。
【図面の簡単な説明】
【図１】本発明の押釦装置の実施の形態における要部斜視図
【図２】同実施の形態における押釦部材付近を上面から見た要部平面図
【図３】同実施の形態における蓋部と検知スイッチの位置関係を示す要部側面図
【図４】従来の押釦装置の構成を示す要部斜視図
【符号の説明】
１  トレイ
２  スイッチ
３  押釦部材
４  蓋部
５  ロックピ−ス
９  機器本体
１２  検知スイッチ
【図１】
0003708309.tif 000002
【図２】
0003708309.tif 000003
【図３】
0003708309.tif 000004
【図４】
0003708309.tif 000005